(57)【要約】【課題】本発明は、信号評価装置に関し、例えばビデオ信号、オーディオ信号の評価に適用して、簡易な構成により、遠隔地等から伝送されるビデオ信号等の劣化を客観的に評価することができるようにする。【解決手段】本発明は、少なくとも信号を特定する識別情報を設定して評価対象の信号Ｓ１を伝送し、この情報を基準にして評価基準Ｓ２の信号を生成して評価対象の信号Ｓ１を評価する。【選択図】        図１
2004254056.tif 000002
【特許請求の範囲】
【請求項１】
評価対象信号を伝送して、前記評価対象信号に対応する評価基準信号を生成し、
前記評価基準信号と前記評価信号との比較により前記評価対象信号の評価結果を取得する信号評価方法であって、
前記評価対象信号が、
映像信号、若しくは映像信号及び音声信号であり、
前記映像信号のブランキング期間のアンシラリデータに、前記評価対象信号を特定する識別情報を設定して前記評価対象信号を伝送し、
前記識別情報に基づいて、前記評価基準信号を生成する
ことを特徴とする信号評価方法。
【請求項２】
複数系統の信号を順次切り換えて前記評価対象信号を生成し、
前記識別情報に加えて、前記切り換えに係る順番を示す情報を前記アンシラリデータに設定する
ことを特徴とする請求項１に記載の信号評価方法。
【請求項３】
前記識別情報に加えて、前記映像信号の動き量の情報を前記アンシラリデータに設定する
ことを特徴とする請求項１又は請求項２に記載の信号評価方法。
【請求項４】
前記動き量の情報が動きベクトルである
ことを特徴とする請求項３に記載の信号評価方法。
【請求項５】
外部機器に対して評価対象信号を出力する信号評価装置であって、
前記評価対象信号が映像信号、若しくは映像信号及び音声信号であり、
前記映像信号のブランキング期間のアンシラリデータに、前記評価対象信号を特定する識別情報を設定した
ことを特徴とする信号評価装置。
【請求項６】
評価基準信号を出力する評価基準信号発生部と、
前記評価基準信号を遅延させて遅延基準信号を出力する遅延部と、
前記遅延基準信号を基準にして評価対象信号を評価し、前記評価対象信号の評価結果を出力する評価部とを備える信号評価装置であって、
前記評価対象信号が、映像信号、若しくは映像信号及び音声信号であり、
前記評価基準信号発生部は、
前記評価対象信号のブランキング期間のアンシラリデータに設定された、前記評価対象信号を特定する識別情報に基づいて、前記評価基準信号を生成する
ことを特徴とする信号評価装置。
【発明の詳細な説明】
【０００１】
【発明の属する技術分野】
本発明は、信号評価方法及び信号評価装置に関し、例えばビデオ信号、オーディオ信号の評価に適用することができる。本発明は、少なくとも信号を特定する識別情報を設定して評価対象の信号を伝送し、この識別情報を基準にして評価基準の信号を生成して評価対象の信号を評価することにより、簡易な構成により、遠隔地等から伝送されるビデオ信号等の劣化を客観的に評価することができるようにする。
【０００２】
【従来の技術】
従来、テレビジョン中継等においては、信号発生装置で発生したビデオ信号、オーディオ信号等を伝送して基地局側で評価することにより、伝送の際のデータ圧縮率等を判断するようになされており、このような遠隔地における評価においては、専ら人間の視覚、聴覚に頼った主観的な評価により実行されるようになされている。
【０００３】
これに対して例えば特開平５−２１９３８５号公報等においては、ビデオ信号を符号化処理して伝送する際に、伝送に供するビデオ信号をデコードして元のビデオ信号と比較することにより、伝送に供するビデオ信号の画質を送信側で客観的に評価する方法が提案されるようになされている。
【０００４】
【特許文献１】
特開平５−２１９３８５号公報
【０００５】
【発明が解決しようとする課題】
ところでこのように遠隔地から伝送されるビデオ信号についても、客観的に評価することができれば、便利であると考えられる。
【０００６】
この場合、例えば伝送されたビデオ信号と同一のビデオ信号を受信側で生成し、伝送されたビデオ信号とこのようにして生成したビデオ信号とを比較することにより、遠隔地から伝送されるビデオ信号についても客観的に判断し得ると考えられる。
【０００７】
しかしながらこの方法の場合、伝送される評価対象のビデオ信号が単一の静止画像の場合等にあっては、伝送されたビデオ信号と同一のビデオ信号を受信側で簡易に生成し得るのに対し、評価対象のビデオ信号が複数のビデオ信号より生成されたビデオ信号の場合、動きが複雑なビデオ信号の場合等にあっては、対応するビデオ信号を受信側で生成するのに構成が大がかりになる問題がある。また評価対象のビデオ信号が複数種類のビデオ信号を順次切り換えてなる場合にあっても、このような信号の切り換えに対応して受信側で対応するビデオ信号に切り換えることが必要になり、この場合も、このようなタイミング検出等に係る構成が大がかりになる問題がある。
【０００８】
本発明は以上の点を考慮してなされたもので、簡易な構成により、遠隔地等から伝送されるビデオ信号等の劣化を客観的に評価することができる信号評価方法及び信号評価装置を提案しようとするものである。
【０００９】
【課題を解決するための手段】
かかる課題を解決するため請求項１の発明においては、評価対象信号を伝送して、前記評価対象信号に対応する評価基準信号を生成し、前記評価基準信号と前記評価信号との比較により前記評価対象信号の評価結果を取得する信号評価方法に適用して、前記評価対象信号が、映像信号、若しくは映像信号及び音声信号であり、前記映像信号のブランキング期間のアンシラリデータに、前記評価対象信号を特定する識別情報を設定して前記評価対象信号を伝送し、前記識別情報に基づいて、前記評価基準信号を生成する。
【００１０】
また請求項２の発明においては、請求項１の構成において、複数系統の信号を順次切り換えて前記評価対象信号を生成し、前記識別情報に加えて、前記切り換えに係る順番を示す情報を前記アンシラリデータに設定する。
【００１１】
また請求項３の発明においては、請求項１又は請求項２の構成において、前記識別情報に加えて、前記映像信号の動き量の情報を前記アンシラリデータに設定する。
【００１２】
また請求項４の発明においては、請求項３の構成において、前記動き量の情報が動きベクトルであるようにする。
【００１３】
また請求項５の発明においては、外部機器に対して評価対象信号を出力する信号評価装置に適用して、前記評価対象信号が映像信号、若しくは映像信号及び音声信号であり、前記映像信号のブランキング期間のアンシラリデータに、前記評価対象信号を特定する識別情報を設定する。
【００１４】
また請求項６の発明においては、評価基準信号を出力する評価基準信号発生部と、前記評価基準信号を遅延させて遅延基準信号を出力する遅延部と、前記遅延基準信号を基準にして評価対象信号を評価し、前記評価対象信号の評価結果を出力する評価部とを備える信号評価装置に適用して、前記評価対象信号が、映像信号、若しくは映像信号及び音声信号であり、前記評価基準信号発生部は、前記評価対象信号のブランキング期間のアンシラリデータに設定された、前記評価対象信号を特定する識別情報に基づいて、前記評価基準信号を生成するようにする。
【００１５】
請求項１の構成により、評価対象信号を伝送して、前記評価対象信号に対応する評価基準信号を生成し、前記評価基準信号と前記評価信号との比較により前記評価対象信号の評価結果を取得する信号評価方法に適用して、前記評価対象信号が、映像信号、若しくは映像信号及び音声信号であり、前記映像信号のブランキング期間のアンシラリデータに、前記評価対象信号を特定する識別情報を設定して前記評価対象信号を伝送し、前記識別情報に基づいて、前記評価基準信号を生成すれば、遠隔地から伝送される評価対象信号に設定された識別情報に基づいて、対応する評価基準信号を生成することができ、これにより簡易な構成により対応する評価基準信号を生成して、遠隔地等から伝送されるビデオ信号等の劣化を客観的に評価することができる。
【００１６】
このとき請求項２の構成により、請求項１の構成において、複数系統の信号を順次切り換えて前記評価対象信号を生成し、前記識別情報に加えて、前記切り換えに係る順番を示す情報を前記アンシラリデータに設定すれば、評価対象信号が複数系統の信号を順次切り換えて生成されている場合に、対応する評価基準信号を簡易に生成することができる。
【００１７】
また請求項３の構成により、請求項１又は請求項２の構成において、前記識別情報に加えて、前記映像信号の動き量の情報を前記アンシラリデータに設定すれば、この動き量の情報に基づいて、評価対象信号に対応する動き量による評価基準信号を生成することができる。
【００１８】
また請求項４の構成により、請求項３の構成において、前記動き量の情報が動きベクトルであるようにすれば、簡易な処理により動き量を検出して伝送することができる。
【００１９】
また請求項５の構成により、外部機器に対して評価対象信号を出力する信号評価装置に適用して、前記評価対象信号が映像信号、若しくは映像信号及び音声信号であり、前記映像信号のブランキング期間のアンシラリデータに、前記評価対象信号を特定する識別情報を設定すれば、この評価対象信号を評価する伝送対象側においては、この評価対象信号に設定された識別情報に基づいて、対応する評価基準信号を生成することができ、これにより評価基準信号と評価対象信号との比較により簡易に評価対象信号を評価することができる。これにより簡易な構成により遠隔地等から伝送されるビデオ信号等の劣化を客観的に評価することができる。
【００２０】
また請求項６の構成により、評価基準信号を出力する評価基準信号発生部と、前記評価基準信号を遅延させて遅延基準信号を出力する遅延部と、前記遅延基準信号を基準にして評価対象信号を評価し、前記評価対象信号の評価結果を出力する評価部とを備える信号評価装置に適用して、前記評価対象信号が、映像信号、若しくは映像信号及び音声信号であり、前記評価基準信号発生部は、前記評価対象信号のブランキング期間のアンシラリデータに設定された、前記評価対象信号を特定する識別情報に基づいて、前記評価基準信号を生成すれば、遠隔地から伝送される評価対象信号に設定された識別情報に基づいて、対応する評価基準信号を生成し、この評価基準信号と評価対象信号との比較により簡易に評価対象信号を評価することができる。これにより簡易な構成により遠隔地等から伝送されるビデオ信号等の劣化を客観的に評価することができる。
【００２１】
【発明の実施の形態】
以下、適宜図面を参照しながら本発明の実施の形態を詳述する。
【００２２】
（１）実施の形態の構成
図１は、本発明の第１の実施の形態に係る画像評価装置を示すブロック図である。この画像評価装置１においては、遠隔地等から伝送される評価対象のビデオ信号Ｓ１を評価する。
【００２３】
ここでこの評価対象のビデオ信号Ｓ１は、画質の評価に適用される通常の静止画像パターンによるビデオ信号、静止画をスクロールさせたビデオ信号、画質の評価に適用される動画像のビデオ信号等を、所定の時間間隔で順次循環的に切り換えたものである。この実施の形態では、この伝送元の遠隔地にも、同一の画像評価装置１が設置され、この画像評価装置１を信号発生装置としての動作モードに設定して、この画像評価装置１から評価対象のビデオ信号Ｓ１が提供されるようになされている。
【００２４】
すなわちこの画像評価装置１において、信号発生部２は、ハードディスク装置等の記憶装置を有し、この記憶装置に記録したビデオデータを順次読み出して出力することにより、これら切り換えに供する複数系統のビデオ信号を出力する。信号発生部２においては、このようにして出力するビデオ信号のうち、動画像のビデオ信号について、この画像評価装置１が信号発生装置としての動作モードにより動作している場合、オペレータの設定した動き量に応じて、時間軸方向に連続するフィールドについて、間欠的に、又は同一フィールドを繰り返すようにビデオデータを読み出し、またこのようにして読み出したビデオデータを動き補正して出力する。これに対してこの画像評価装置１が、画像評価装置としての動作モードにより動作している場合、オペレータの設定した動き量に代えて、データ識別部５で検出される動きベクトルに応じて、これら動画に係る処理を実行し、これによりこの場合動画によるビデオ信号については、送信元より伝送されるビデオ信号Ｓ１と動きの速度が一致するように動き補正して出力するようになされている。またこの一連の処理において、信号発生部２は、出力に供する信号を特定する識別情報等であって、後述するアンシラリデータに設定する情報Ｄ１をデータ発生部４に出力する。
【００２５】
信号切替制御部３は、信号発生部２から出力されるビデオ信号をオペレータの設定により、又はデータ識別部５による検出結果に応じて選択して出力する。すなわち信号切替制御部３は、この画像評価装置１が信号発生装置の動作モードに設定されている場合、オペレータによる指示に従って、所定の時間間隔により順次循環的に信号発生部２から出力されるビデオ信号を切り替えて出力する。このときこのビデオ信号Ｓ２の垂直ブランキング期間にデータ発生部４から出力されるアンシラリデータを介挿して出力する。ここでアンシラリデータは、ビデオ信号Ｓ２を特定する識別情報等により構成され、これによりこの実施の形態においては、このビデオ信号Ｓ２を伝送して伝送対象にてこの伝送されたビデオ信号Ｓ２を評価する評価基準のビデオ信号を簡易かつ確実に生成できるようになされている。
【００２６】
これに対してこの画像評価装置１が、通常の画像評価装置としての動作モードにより使用されている場合、データ識別部５から出力される識別結果に基づいて、外部入力信号Ｓ１に対応するように信号発生部２から出力されるビデオ信号を切り替えて出力する。これによりこの実施の形態では、複数のビデオ信号を切り換えて伝送して伝送路の状態を判断する場合等に、簡易に、この伝送されたビデオ信号Ｓ１に対応するように評価基準のビデオ信号Ｓ２を生成できるようになされている。
【００２７】
かくするにつきデータ発生部４は、信号発生部２の出力情報Ｄ１に基づいて、アンシラリデータを生成する。ここでアンシラリデータは、ＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ）関連規格により規定されたデータであり、ビデオ信号のブランキング期間に挿入されるデータである。この実施の形態では、ビデオ信号Ｓ２の垂直ブランキング期間に介挿されるアンシラリデータの一部として、図２に示すフォーマットによるビデオ信号Ｓ２を特定する識別情報と関連する情報とが介挿される。
【００２８】
すなわちこの実施の形態では、１ワード１０ビットによりこれらの情報が割り当てられ、先頭１ワードには、画像挿入順序情報が設定される。ここで画像挿入順序情報は、複数のビデオ信号を所定順序により順次切り換えらてビデオ信号Ｓ２が生成されてなる場合に、現在のビデオ信号の順番を示す情報により形成される。また続く１ワードには、発生画像種類情報が割り当てられ、この情報によりビデオ信号Ｓ２の種類を特定するようになされている。具体的に、発生画像情報により、複数のビデオ信号を順次切り換えてビデオ信号Ｓ２が生成されてなる場合、ビデオ信号Ｓ２が動きベクトルＶ（ｘ）、Ｖ（ｙ）を用いて生成されてなる場合、ビデオ信号Ｓ２が静止画像、動画像である場合等を識別できるようになされている。
【００２９】
また続く１ワードには、発生画像識別情報が割り当てられ、この情報によりビデオ信号Ｓ２による画像を特定する識別情報が構成されるようになされている。なおこの発生画像識別情報は、例えばビデオ信号Ｓ２がカラーバー信号の場合には、「００」に設定される。続く２ワードには、それぞれ水平方向及び垂直方向に係る動きベクトルＶ（ｘ）、Ｖ（ｙ）の情報が割り当てられ、これによりこの実施の形態では、動きベクトルを用いてビデオ信号の動き量の情報を伝送して、ビデオ信号Ｓ２を生成する場合に、伝送対象側で対応するビデオ信号を確実に生成し得るようになされている。また最後の１ワードには、発生音声識別情報が割り当てられ、ビデオ信号Ｓ２と同時にオーディオ信号を伝送する場合に、このオーディオ信号を特定する識別情報が設定される。なお発生音声識別情報は、このオーディオ信号が例えば周波数１〔ｋＨｚ〕の正弦波信号の場合、値「００」に設定される。
【００３０】
出力インターフェース部（出力Ｉ／Ｆ部）７は、信号切替制御部３から出力されるビデオ信号Ｓ２を各種映像機器に出力するインターフェースであり、種々のフォーマットによる複数のインタフェースを備えるようになされている。
【００３１】
これらによりこの画像評価装置１においては、この画像評価装置１を信号発生装置として使用する場合、動画、静止画等によるビデオ信号Ｓ２、さらにはこれらビデオ信号を順次循環的に切り換えてなるビデオ信号Ｓ２を、そのビデオ信号Ｓ２を特定する識別情報、ビデオ信号Ｓ２の生成に利用可能な関連する情報と共に送出するようになされている。これに対して画像評価装置１として利用する場合、データ識別部５で伝送対象から伝送されるビデオ信号Ｓ１に設定されたこのような情報に基づいて、このビデオ信号Ｓ１に対応するビデオ信号Ｓ１と同一のビデオ信号Ｓ２を生成するようになされている。
【００３２】
すなわち入力インターフェース部（外部入力Ｉ／Ｆ部）８は、伝送対象から到来するビデオ信号Ｓ１を入力するインターフェースであり、種々のフォーマットにより複数のインターフェースを備えるようになされている。
【００３３】
データ識別部５は、このビデオ信号Ｓ１に設定されてなるアンシラリデータを選択的に取得して信号発生部２、信号切替制御部３に出力し、またビデオ信号Ｓ１を画像信号評価部９に出力する。これによりこの実施の形態では、外部入力に係るビデオ信号Ｓ１に付加された情報により、ビデオ信号Ｓ１に対応するビデオ信号Ｓ２を生成するようになされている。
【００３４】
画像遅延部１０は、例えば高速のＲＡＭにより構成された約１０フレーム程度の容量を有するメモリであり、遅延制御部１１の制御により遅延時間を可変し、この遅延時間により信号切替制御部３から出力されるビデオ信号Ｓ２を遅延させて出力する。
【００３５】
遅延制御部１１は、遠隔地等から伝送されるビデオ信号Ｓ１に画像遅延部１０から出力されるビデオ信号Ｓ３のタイミングが一致するように、全体の動作を制御する。具体的に、遅延制御部１１は、データ識別部５から出力されるビデオ信号Ｓ１と画像遅延部１０から出力されるビデオ信号Ｓ３とを画素単位で比較して比較結果をフィールド単位又はフレーム単位で集計し、この集計値が最も小さくなるように、画像遅延部１０の遅延時間を１画素単位で順次可変することにより、ビデオ信号Ｓ３のタイミングを補正する。なおこの処理においては、集計結果の変化の傾向に応じて、１画素分づつの遅延量の可変を処理の途中で省略し、ほぼ１フレーム分、遅延量を変化させて１画素分づつの遅延量の可変を再開する等により、処理を簡略化することが考えられる。遅延制御部１１は、このようにして画像遅延部１０の遅延時間を設定すると、画像信号評価部９に評価値の測定を指示する。
【００３６】
画像信号評価部９は、画像遅延部１０から出力されるビデオ信号Ｓ３を基準にして、遠隔地等から伝送されるビデオ信号Ｓ１を評価し、その評価結果ＳＪを出力する。なおこの評価にあっては、例えば画像歪み率等を適用することができる。
【００３７】
この処理において画像信号評価部９は、信号切替制御部３における信号の切り替えに連動して評価値を検出することにより、信号発生部４から出力される複数種類のビデオ信号毎に、評価値ＳＪを検出する。またこのようにして検出した評価値を集計して、総合の評価値による評価結果ＳＪを出力する。
【００３８】
（２）実施の形態の動作
以上の構成において、この画像評価装置１では、伝送元に設置された同一構成の画像評価装置より、静止画によるビデオ信号、所定の動き速度による動画のビデオ信号が順次循環的に切り換えられて、符号化処理等されて伝送される。画像評価装置１側では、このビデオ信号が復号化等され、画像評価装置１に入力される。これによりこの画像評価装置１に入力されるビデオ信号Ｓ１においては、符号化処理、復号化処理等により画質が劣化して入力されることになる。
【００３９】
画像評価装置１では、このビデオ信号Ｓ１に対応する評価基準のビデオ信号Ｓ２が信号発生部２、信号切替制御部３で生成され、ビデオ信号Ｓ１の伝送に要した遅延時間の分、このビデオ信号Ｓ２が画像遅延部１０で遅延された後、画像信号評価部９でこれらビデオ信号Ｓ１及びＳ３が比較され、これにより評価基準のビデオ信号Ｓ２を基準にしてビデオ信号Ｓ１が評価される。
【００４０】
これによりこの画像評価装置１によれば、遠隔地等から伝送される評価対象信号であるビデオ信号を客観的に評価することができる。
【００４１】
このようにしてビデオ信号Ｓ１を評価するにつき、伝送元に配置されてなる画像評価装置１においては、ビデオ信号Ｓ１を送出する際、このビデオ信号Ｓ１のアンシラリデータに、ビデオ信号を特定する識別情報と、関連する情報とが設定されて送出される（図２）。これに対してこのビデオ信号Ｓ１を評価する側の画像評価装置１においては、このアンシラリデータによるビデオ信号を特定する識別情報に基づいて、評価基準のビデオ信号Ｓ２が生成され、これにより簡易かつ確実に伝送されたビデオ信号Ｓ１に対応するビデオ信号Ｓ３を生成して、ビデオ信号Ｓ１を評価することができる。
【００４２】
またこのときこの関連する情報により、外部入力に係るビデオ信号Ｓ１が順次複数のビデオ信号を所定順序で順次切り換えて生成してなる場合には、その順番を伝送し、また外部入力に係るビデオ信号Ｓ１が動きベクトルにより生成したビデオ信号の場合、生成に供した動きベクトルを動き量の情報として伝送することにより、このようなビデオ信号Ｓ１についても、簡易かつ確実に対応する評価基準のビデオ信号Ｓ２を生成することができ、これにより簡易かつ確実に遠隔地から伝送されたビデオ信号を評価することができ、その分、中継現場等において、機器の調整等に有効に利用することができる。
【００４３】
（３）実施の形態の効果
以上の構成によれば、少なくとも信号を特定する識別情報を設定して評価対象の信号を伝送し、この情報を基準にして評価基準の信号を生成して評価対象の信号を評価することにより、簡易な構成により、遠隔地等から伝送されるビデオ信号等の劣化を客観的に評価することができる。
【００４４】
また複数系統の信号を順次切り換えてこの評価対象信号を生成し、識別情報に加えて、切り換えに係る順番を示す情報をアンシラリデータに設定することにより、複数系統の信号を順次切り換えて評価する場合に、簡易に評価基準の信号を生成することができる。
【００４５】
また識別情報に加えて、映像信号の動き量の情報を前記アンシラリデータに設定することにより、さらにはこの動き量の情報が動きベクトルであるようにして、評価基準信号を簡易かつ確実に生成することができる。
【００４６】
（４）他の実施の形態
なお上述の実施の形態においては、画像歪み率によりビデオ信号Ｓ１を評価する場合について述べたが、本発明はこれに限らず、Ｓ／Ｎ比等により評価するようにしてもよく、オーディオ信号については音声歪み率により評価するようにしてもよい。
【００４７】
また上述の実施の形態においては、ビデオ信号の評価に本発明を適用する場合について述べたが、本発明はこれに限らず、オーディオ信号の評価にも広く適用することができる。
【００４８】
また上述の実施の形態においては、複数のビデオ信号を切り換えて評価基準信号を生成する場合について述べたが、本発明はこれに限らず、必要に応じて切り替えの処理を省略することもできる。
【００４９】
また上述の実施の形態においては、遅延制御部１１において、レベル差の集計により位相ずれを検出し、さらには時間軸方向のずれ量を検出する場合について述べたが、本発明はこれに限らず、例えば輪郭抽出結果の比較により位相ずれを検出する場合等、これらの検出方法にあっては種々の手法を広く適用することができる。
【００５０】
また上述の実施の形態においては、評価基準のビデオ信号の位相を自動的に補正する場合について述べたが、本発明はこれに限らず、マニュアルにより補正するようにしてもよい。
【００５１】
【発明の効果】
上述のように本発明によれば、少なくとも信号を特定する識別情報を設定して評価対象の信号を伝送し、この情報を基準にして評価基準の信号を生成して評価対象の信号を評価することにより、簡易な構成により、遠隔地等から伝送されるビデオ信号等の劣化を客観的に評価することができる。
【図面の簡単な説明】
【図１】本発明の実施の形態に係る画像評価装置を示すブロック図である。
【図２】図１の画像評価装置の動作の説明に供する図表である。
【符号の説明】
１……画像評価装置、２……信号発生部、３……信号切替制御部、４……データ発生部、５……データ識別部、７……出力インターフェース部、８……外部入力インターフェース部、９……画像信号評価部、１０……画像遅延部、１１……遅延制御部
【図１】
2004254056.tif 000003
【図２】
2004254056.tif 000004